(57)【要約】【課題】接続拠点の変更やネットワーク変更を容易に行うことが可能な波長貸出しサービスシステムを提供する。【解決手段】ユーザ（Ａ）は波長＃１及び波長＃２の占有的な使用権をネットワーク運用者との間で設定し、管理装置２に対してＷＤＭ装置１−１で波長＃１を出力しかつ波長＃２を受信する要求を、ＷＤＭ装置１−３で波長＃１を受信しかつ波長＃２を送信する要求を行う。管理装置２はＷＤＭ装置１−１，１−３に対して出力及び選択波長の設定を行う。ユーザ（Ｂ）は波長＃３及び波長＃４の占有的な使用権をネットワーク運用者との間で設定し、管理装置２に対して、ＷＤＭ装置１−２で波長＃３を出力しかつ波長＃４を受信する要求を、ＷＤＭ装置１−４で波長＃３を受信しかつ波長＃４を送信する要求を行う。管理装置２はＷＤＭ装置１−２，１−４に対して出力及び選択波長の設定を行う。【選択図】      図１
2004260502.tif 000002
【特許請求の範囲】
【請求項１】
ネットワーク上のアクセスポイント間を、波長を指定して接続可能な波長多重技術を用いた波長多重ネットワークであって、外部からの設定要求にしたがって前記アクセスポイントに対して出力及び選択波長の設定を行う管理装置を有することを特徴とする波長多重ネットワーク。
【請求項２】
前記管理装置は、前記設定要求がネットワーク運用者とユーザとの間の契約による前記波長の占有的な使用権に基づいている場合に前記アクセスポイントに対して出力及び選択波長の設定を行うことを特徴とする請求項１記載の波長多重ネットワーク。
【請求項３】
前記アクセスポイントは、ＷＤＭ（Ｗａｖｅｌｅｎｇｔｈ  Ｄｉｖｉｓｉｏｎ  Ｍｕｌｔｉｐｌｅｘｉｎｇ）装置であることを特徴とする請求項１または請求項２記載の波長多重ネットワーク。
【請求項４】
前記管理装置から前記アクセスポイントに対して設定される前記選択波長によってユーザ間を分離することを特徴とする請求項１から請求項３のいずれか記載の波長多重ネットワーク。
【請求項５】
ネットワーク上のアクセスポイント間を、波長を指定して接続可能な波長多重技術を用いた波長多重ネットワークの波長貸出しサービス方法であって、前記アクセスポイント間の波長を管理する管理装置側に、外部からの設定要求にしたがって前記アクセスポイントに対して出力及び選択波長の設定を行うステップを有することを特徴とする波長貸出しサービス方法。
【請求項６】
前記管理装置が、前記設定要求がネットワーク運用者とユーザとの間の契約による前記波長の占有的な使用権に基づいている場合に前記アクセスポイントに対して出力及び選択波長の設定を行うことを特徴とする請求項５記載の波長貸出しサービス方法。
【請求項７】
前記アクセスポイントが、ＷＤＭ（Ｗａｖｅｌｅｎｇｔｈ  Ｄｉｖｉｓｉｏｎ  Ｍｕｌｔｉｐｌｅｘｉｎｇ）装置であることを特徴とする請求項５または請求項６記載の波長貸出しサービス方法。
【請求項８】
前記管理装置から前記アクセスポイントに対して設定される前記選択波長によってユーザ間を分離することを特徴とする請求項５から請求項７のいずれか記載の波長貸出しサービス方法。
【発明の詳細な説明】
【０００１】
【発明の属する技術分野】
本発明は波長多重ネットワーク及びそれに用いる波長貸出しサービス方法に関し、特に複数の拠点間を接続するためのネットワークの接続サービスに関する。
【０００２】
【従来の技術】
現在、企業等のユーザにおいては、複数の拠点間をネットワーク運用業者が提供するＬＡＮ（Ｌｏｃａｌ  Ａｒｅａ  Ｎｅｔｗｏｒｋ）間接続サービスを利用して接続している。
【０００３】
このＬＡＮ間接続サービスとしては、複数のＬＡＮを相互接続するトランスペアレントＬＡＮ（ＴＬＡＮ：Ｔｒａｎｓｐａｒｅｎｔ  Ｌｏｃａｌ  Ａｒｅａ  Ｎｅｔｗｏｒｋ）サービスやバーチャルプライベートネットワーク（ＶＰＮ：Ｖｉｒｔｕａｌ  Ｐｒｉｖａｔｅ  Ｎｅｔｗｏｒｋ）サービスが通信事業者によって提供され、普及している。
【０００４】
上記のサービスは、地理的に離れた箇所にあるＬＡＮをあたかも一つのネットワークであるかのように連結するサービスであり、連結している通信事業者の網設備の一部がサービス利用者側のＬＡＮの構成要素の一つであるかのように動作する（例えば、特許文献１参照）。
【０００５】
【特許文献１】
特開２００２−００９８４７号公報（第２頁）
【０００６】
【発明が解決しようとする課題】
上述した従来のＬＡＮ間接続サービスでは、ネットワーク機器の設定が煩雑で、ユーザからの要求があっても、開通までに長い時間を要することが多く、接続拠点の変更やネットワーク変更が容易ではないという問題がある。
【０００７】
そこで、本発明の目的は上記の問題点を解消し、接続拠点の変更やネットワーク変更を容易に行うことができる波長多重ネットワーク及びそれに用いる波長貸出しサービス方法を提供することにある。
【０００８】
【課題を解決するための手段】
本発明による波長多重ネットワークは、ネットワーク上のアクセスポイント間を、波長を指定して接続可能な波長多重技術を用いた波長多重ネットワークであって、外部からの設定要求にしたがって前記アクセスポイントに対して出力及び選択波長の設定を行う管理装置を備えている。
【０００９】
本発明による波長貸出しサービス方法は、ネットワーク上のアクセスポイント間を、波長を指定して接続可能な波長多重技術を用いた波長多重ネットワークの波長貸出しサービス方法であって、前記アクセスポイント間の波長を管理する管理装置側に、外部からの設定要求にしたがって前記アクセスポイントに対して出力及び選択波長の設定を行うステップを備えている。
【００１０】
すなわち、本発明の波長多重ネットワークは、ネットワーク上のアクセスポイント間を波長を指定して接続可能な波長多重技術を用いたネットワーク［以下、ＷＤＭ（Ｗａｖｅｌｅｎｇｔｈ  Ｄｉｖｉｓｉｏｎ  Ｍｕｌｔｉｐｌｅｘｉｎｇ：波長分割多重）ネットワークとする］を保有するネットワーク運用者が、そのＷＤＭネットワークのアクセスポイントに外部から接続し、アクセスポイント間の接続サービスを利用するユーザに対してＷＤＭネットワーク内の波長を占有的に使用する権利を貸し出す契約を行い、ＷＤＭネットワーク内では、契約した波長を使ってどのアクセスポイント間でも接続するサービスを提供することを特徴とする。
【００１１】
これによって、本発明の波長多重ネットワークでは、ユーザがアクセスポイントとなるＷＤＭ装置を変更しても、波長設定要求を行うことでアクセスポイント間の接続を再設定することが可能であり、アクセスポイントを移動しても迅速にサービスを開始することが可能となる。本発明の波長貸出しサービスシステムでは、例えば企業の引越しに伴うネットワークの移設を容易かつ迅速に行うことが可能となる。
【００１２】
また、本発明の波長多重ネットワークでは、波長でユーザ間を分離することによって、他のユーザに影響を与えることなく、ネットワークを変更することが可能となる。本発明の波長多重ネットワークでは、例えばユーザがあるＷＤＭ装置から他のＷＤＭ装置に拠点を変更しても、接続要求を管理装置に要求することで、現在接続中のＷＤＭ装置と他のＷＤＭ装置との間で接続サービスを開通することが可能となる。
【００１３】
【発明の実施の形態】
次に、本発明の実施例について図面を参照して説明する。図１は本発明の一実施例による波長多重ネットワークの構成を示すブロック図である。図１において、ネットワーク運用者は、ＷＤＭ（Ｗａｖｅｌｅｎｇｔｈ  Ｄｉｖｉｓｉｏｎ  Ｍｕｌｔｉｐｌｅｘｉｎｇ：波長分割多重）装置１−１〜１−４をアクセスポイントとするＷＤＭネットワークにおいて、複数拠点間のユーザ（Ａ，Ｂ）１０１〜１０４を接続するサービスを提供している。
【００１４】
ＷＤＭ装置１−１〜１−４は管理装置２からの設定指示にしたがって、出力波長とその装置で処理すべき波長とを選択する機能を有している。また、ＷＤＭ装置１−１〜１−４はユーザ（Ａ，Ｂ）１０１〜１０４に接続され、例えばＷＤＭ装置１−１，１−３はユーザ（Ａ）１０１，１０３間を接続する際のアクセスポイントとなり、ＷＤＭ装置１−２，１−４はユーザ（Ｂ）１０２，１０４間を接続する際のアクセスポイントとなる。ユーザ（Ａ，Ｂ）１０１〜１０４としてはネットワークやスタンドアロンの端末装置等が考えられる。
【００１５】
管理装置２はユーザ（Ａ，Ｂ）１０１，１０４からの要求を受けると、管理情報データベース３を参照して要求の受け付けの可否を判断し、要求の受け付けが可の場合にＷＤＭ装置１−１〜１−４の出力波長と選択波長とを設定指示する機能を有している。
【００１６】
管理情報データベース３にはユーザ（Ａ，Ｂ）１０１，１０４とネットワーク運用者との間で設定される波長＃１〜＃４の占有的な使用権に関する契約（貸し出しや購入）の情報が管理情報として蓄積されている。
【００１７】
図２は図１のＷＤＭ装置１−１〜１−４の構成例を示すブロック図である。図２において、ＷＤＭ装置１−１〜１−４はそれぞれＴＦＩＬ（可変波長選択素子）１１，１２と、カプラ（波長合波装置）１３，１４と、ＴＤＬ（可変波長光源）１５，１６と、Ｏ／Ｅ（光電気変換機）１７，１８と、ＷＤＭ  Ｌｉｎｆ（ＷＤＭインタフェースカード）１９，２０と、パケットスイッチ２１と、Ｌｉｎｆ（ユーザインタフェースカード）２２とから構成されている。
【００１８】
ＴＦＩＬ１１，１２は入力ポート（ｉｎ）から波長多重信号を入力し、設定した波長のみを選択信号出力（Ｄｒｏｐ）から出力し、他の波長は、通過出力（Ｐａｓｓ）から出力する。ＴＦＩＬ１１，１２は設定によって、選択する波長を変更することができる。カプラ１３，１４は複数の入力ポート（ｉｎ＃１，ｉｎ＃２）から波長信号を入力し、入力したすべての波長を出力（ｏｕｔ）から出力する。
【００１９】
ＴＤＬ１５，１６は電気信号を波長光信号に変換する装置で、その波長は設定によって変更することができる。Ｏ／Ｅ１７，１８は入力した光信号を電気信号に変換する。
【００２０】
ＷＤＭ  Ｌｉｎｆ１９，２０はＷＤＭネットワークの回線を収容し、パケット抽出し、あて先ヘッダ情報を付加してパケットスイッチ２１へ出力する。パケットスイッチ２１はパケットをあて先情報にしたがって出力ポートへ出力する。また、障害時の迂回路の設定や、パケットを２方路に振り分けることによって、高信頼度で効率のよいネットワークを実現する。
【００２１】
Ｌｉｎｆ２２はユーザ回線を収容し、パケットを抽出してあて先ヘッダ情報を付加してパケットスイッチ２１へ出力する。尚、ＷＤＭ装置１−１〜１−４は複数のＬｉｎｆ、ＷＤＭインタフェース（ＴＦＩＬ、カプラ、ＴＬＤ、Ｏ／Ｅ、ＷＤＭ  Ｌｉｎｆ）を有していてもよい。
【００２２】
図３は本発明の一実施例による波長貸出しサービスシステムの動作を示すシーケンスチャートである。これら図１〜図３を参照して本発明の一実施例による波長貸出しサービスシステムの動作について説明する。
【００２３】
ユーザ（Ａ）１０１，１０３はＷＤＭ装置１−１とＷＤＭ装置１−３との間で接続し、ＬＡＮ間接続を行っている。同様に、ユーザ（Ｂ）１０２，１０４はＷＤＭ装置１−２とＷＤＭ装置１−４との間を接続し、ＬＡＮ間接続を行っている。
【００２４】
ユーザ（Ａ）は波長＃１及び波長＃２の占有的な使用権をネットワーク運用者との間で設定する（図３のａ１）。この場合、ユーザ（Ａ）は波長＃１及び波長＃２の占有的な使用権利を借りても、また購入してもよく（その波長の所有権も購入してもよい）、これに限定されるものではない。
【００２５】
ユーザ（Ａ）は上記の波長＃１及び波長＃２の占有的な使用権に基づいて、管理装置２に対してＷＤＭ装置１−１で波長＃１を出力しかつ波長＃２を受信する要求と、ＷＤＭ装置１−３で波長＃１を受信しかつ波長＃２を送信する要求とを行う（図３のａ２）。
【００２６】
管理装置２はその要求に対して管理情報データベース３の内容を基に出力及び選択波長の設定の可否を判定し、設定可の場合にＷＤＭ装置１−１，１−３に対して出力及び選択波長の設定を行う（図３のａ３，ａ４）。これによって、ＷＤＭ装置１−１とＷＤＭ装置１−３との間では通信接続が実現される（図３のａ５，ａ６）。
【００２７】
また、ユーザ（Ｂ）においても、上記のユーザＡと同様に、波長＃３及び波長＃４の占有的な使用権をネットワーク運用者との間で設定する（図３のａ７）。この場合、ユーザ（Ｂ）は波長＃３及び波長＃４の占有的な使用権利を借りても、また購入してもよく（その波長の所有権も購入してもよい）、これに限定されるものではない。
【００２８】
ユーザ（Ｂ）は上記の波長＃３及び波長＃４の占有的な使用権に基づいて、管理装置２に対して、ＷＤＭ装置１−２で波長＃３を出力しかつ波長＃４を受信する要求を、ＷＤＭ装置１−４で波長＃３を受信しかつ波長＃４を送信する要求を行う（図３のａ８）。
【００２９】
管理装置２はその要求に対して管理情報データベース３の内容を基に出力及び選択波長の設定の可否を判定し、設定可の場合にＷＤＭ装置１−２，１−４に対して出力及び選択波長の設定を行う（図３のａ９，ａ１０）。これによって、ＷＤＭ装置１−２とＷＤＭ装置１−４との間では通信接続が実現される（図３のａ１１，ａ１２）。
【００３０】
このように、本実施例では、ユーザがアクセスポイントとなるＷＤＭ装置１−１〜１−４を変更しても、波長設定要求を行うことで、アクセスポイント間の接続を再設定することが可能であり、アクセスポイントを移動しても迅速にサービスを開始することができる。本実施例では、例えば企業の引越しに伴うネットワークの移設を容易かつ迅速に行うことができる。
【００３１】
また、本実施例では、波長でユーザ間を分離していることによって、他のユーザに影響を与えることなく、変更することができる。本実施例では、例えばユーザ（Ａ）がＷＤＭ装置１−３からＷＤＭ装置１−４に拠点を変更しても、接続要求を管理装置２に要求することで、ＷＤＭ装置１−１とＷＤＭ装置１−４との間で接続サービスを開通することができる。
【００３２】
【発明の効果】
以上説明したように本発明は、上記のような構成及び動作とすることで、接続拠点の変更やネットワーク変更を容易に行うことができるという効果が得られる。
【図面の簡単な説明】
【図１】本発明の一実施例による波長貸出しサービスシステムの構成を示すブロック図である。
【図２】図１のＷＤＭ装置の構成例を示すブロック図である。
【図３】本発明の一実施例による波長貸出しサービスシステムの動作を示すシーケンスチャートである。
【符号の説明】
１−１〜１−４  ＷＤＭ装置
２  管理装置
３  管理情報データベース
１１，１２  ＴＦＩＬ
１３，１４  カプラ
１５，１６  ＴＤＬ
１７，１８  Ｏ／Ｅ
１９，２０  ＷＤＭ  Ｌｉｎｆ
２１  パケットスイッチ
２２  Ｌｉｎｆ
１０１，１０３  ユーザ（Ａ）
１０２，１０４  ユーザ（Ｂ）
【図１】
2004260502.tif 000003
【図２】
2004260502.tif 000004
【図３】
2004260502.tif 000005